(57)【要約】  シェード装置１は、本体（２）と制御部５０を有する。本体（２）は、遮光状態を有する第一層状部１１０と、第一面２ａに入射した光Ｌ５を鏡面反射させる反射状態を有する第二層状部１２０と、を含む。第一層状部１１０と第二層状部１２０の少なくとも一方は、液晶層（１１１，１２１）を含む。制御部５０は、第一層状部１１０と第二層状部１２０のうち液晶層（１１１，１２１）を含む層状部の状態を制御することにより、本体（２）に、少なくとも、第二層状部１２０による光Ｌ５の鏡面反射を抑制して第二面２ｂから第一面２ａへの光Ｌ４を遮る第一状態と、第一面２ａに入射した光Ｌ５を第二層状部１２０により鏡面反射させる第二状態と、を選択的に実現させる。
2019082572.tif 000002
【特許請求の範囲】
【請求項１】
第一面及び該第一面とは反対側の第二面を有する本体であって、遮光状態を有する第一層状部と、前記第一面に入射した光を鏡面反射させる反射状態を有する第二層状部と、を含み、前記第一層状部と前記第二層状部の少なくとも一方が液晶層を含む本体と、
前記第一層状部と前記第二層状部のうち前記液晶層を含む層状部の状態を制御することにより、前記本体に、少なくとも、前記第二層状部による光の鏡面反射を抑制して前記第二面から前記第一面への光を遮る第一状態と、前記第一面に入射した光を前記第二層状部により鏡面反射させる第二状態と、を選択的に実現させる制御部と、を備える、シェード装置。
【請求項２】
前記第一層状部は、第一液晶層を有し、第一透視状態と前記遮光状態とに切り替え可能であり、
前記第二層状部は、第二液晶層を有し、前記第一層状部よりも前記第一面側に配置されて前記反射状態と第二透視状態とに切り替え可能であり、
前記制御部は、前記第一層状部を前記遮光状態に制御し前記第二層状部を前記第二透視状態に制御することにより前記本体に前記第一状態を実現させ、前記第二層状部を前記反射状態に制御することにより前記本体に前記第二状態を実現させ、前記第一層状部を前記第一透視状態に制御し前記第二層状部を前記第二透視状態に制御することにより前記本体に透視性の有る状態を含む第三状態を実現させる、請求項１に記載のシェード装置。
【請求項３】
前記第一層状部は、第一液晶層を有し、第一透視状態と前記遮光状態とに切り替え可能であり、
前記第二層状部は、前記第一層状部よりも前記第二面側に配置され、
前記制御部は、前記第一層状部を前記遮光状態に制御することにより前記本体に前記第一状態を実現させ、前記第一層状部を前記第一透視状態に制御することにより前記本体に前記第二状態を実現させる、請求項１に記載のシェード装置。
【請求項４】
前記第二層状部は、第二液晶層を有し、前記第一層状部よりも前記第一面側に配置されて前記反射状態と第二透視状態とに切り替え可能であり、
前記制御部は、前記第二層状部を前記第二透視状態に制御することにより前記本体に前記第一状態を実現させ、前記第二層状部を前記反射状態に制御することにより前記本体に前記第二状態を実現させる、請求項１に記載のシェード装置。
【請求項５】
前記第一面において前記第二層状部に対応する領域は、第一分割領域及び第二分割領域を含み、
前記制御部は、前記第一分割領域において前記第一層状部と前記第二層状部のうち前記液晶層を含む層状部の状態を制御することにより前記第一分割領域に少なくとも前記第一状態と前記第二状態とを選択的に実現させ、前記第一分割領域における制御とは別に前記第二分割領域において前記第一層状部と前記第二層状部のうち前記液晶層を含む層状部の状態を制御することにより前記第二分割領域に少なくとも前記第一状態と前記第二状態とを選択的に実現させる、請求項１〜請求項４のいずれか一項に記載のシェード装置。
【請求項６】
前記シェード装置は、さらに、外部の光の強さを検出する光検出部を備え、
前記制御部は、
前記光検出部で検出される光の強さが第一の強さである場合、前記本体に、少なくとも前記第一状態と前記第二状態とを選択的に実現させ、
前記光検出部で検出される光の強さが前記第一の強さよりも弱い第二の強さである場合、前記本体に前記第一状態以外の状態を実現させる、請求項１〜請求項５のいずれか一項に記載のシェード装置。
【発明の詳細な説明】
【技術分野】
【０００１】
本発明は、ミラー状態を実現可能なシェード装置に関する。
【背景技術】
【０００２】
特開2006-205914号公報に開示された車両用サンバイザーは、ミラー蓋をサンバイザー本体の表面に沿ってスライドさせることにより、そのサンバイザー本体の表面に設けられたミラーを覆ったり、あるいは露出させたりすることができる。
【先行技術文献】
【特許文献】
【０００３】
【特許文献１】特開２００６−２０５９１４号公報
【発明の概要】
【発明が解決しようとする課題】
【０００４】
上記サンバイザー本体には、ミラー蓋をスライドさせるための構造が必要である。また、上記ミラー蓋はミラーを露出させる場合もサンバイザー本体の表面にあるため、その分、ミラーのサイズが限定される。そこで、ミラーを覆うスライド蓋が無くてもミラーの非使用状態を実現することができると好適である。【０００５】
本発明は、スライド蓋が無くてもミラーの使用状態と非使用状態とを実現可能なシェード装置を開示するものである。
【課題を解決するための手段】
【０００６】
本発明のシェード装置は、第一面及び該第一面とは反対側の第二面を有する本体であって、遮光状態を有する第一層状部と、前記第一面に入射した光を鏡面反射させる反射状態を有する第二層状部と、を含み、前記第一層状部と前記第二層状部の少なくとも一方が液晶層を含む本体と、
前記第一層状部と前記第二層状部のうち前記液晶層を含む層状部の状態を制御することにより、前記本体に、少なくとも、前記第二層状部による光の鏡面反射を抑制して前記第二面から前記第一面への光を遮る第一状態と、前記第一面に入射した光を前記第二層状部により鏡面反射させる第二状態と、を選択的に実現させる制御部と、を備える、態様を有する。
【発明の効果】
【０００７】
本発明によれば、スライド蓋が無くてもミラーの使用状態と非使用状態とを実現させるシェード装置を提供することができる。
【図面の簡単な説明】
【０００８】
【図１】図１は、シェード装置を取り付けた自動車の車室の要部を模式的に例示する図。
【図２】図２は、シェード装置の例を模式的に示す正面図。
【図３】図３は、シェード装置を組み立てる前の各部の例を模式的に示す分解斜視図。
【図４】図４は、シェード装置の縦断面の例を模式的に示す縦断面図。
【図５】図５は、透明板の要部、及び、透明板の支持構造の例を模式的に示す図。
【図６】図６Ａ，６Ｂは、バイザー本体の断面の例を模式的に示す図。
【図７】図７ＡはＴＮ（Twisted Nematic）方式の液晶フィルムにおける機能の例を模式的に示す図、図７ＢはＶＡ（Vertical Alignment）方式の液晶フィルムにおける機能の例を模式的に示す図。
【図８】図８Ａは直線偏光反射方式の反射型偏光層の例を模式的に示す図、図８Ｂはコレステリック液晶を用いた反射型偏光層が光を透過させる例を模式的に示す図、図８Ｃはコレステリック液晶を用いた反射型偏光層が光を反射させる例を模式的に示す図。
【図９】図９は、調光部の構成例を模式的に分解して示す図。
【図１０】図１０は、シェード装置の電気回路の例を模式的に示すブロック図。
【図１１】図１１は、調光部の調光領域の例を模式的に示す図。
【図１２】図１２は、制御部で行われる切り替え制御処理の例を示すフローチャート。
【図１３】図１３は、遮光モード、ミラーモード、及び、透視モードにおける層状部の状態の例を模式的に示す図。
【図１４】図１４は、遮光モード、及び、ミラーモードにおける層状部の状態の例を模式的に示す図。
【図１５】図１５Ａは透視性の有る状態の調光部の例を模式的に示す図、図１５Ｂは第一面に入射した光を鏡面反射させる第二状態の調光部の例を模式的に示す図、図１５Ｃは第一面に入射した光の鏡面反射を抑制して第二面から第一面への光を遮る第一状態の調光部の例を模式的に示す図。
【図１６】図１６Ａは第一面に入射した光の鏡面反射を抑制して第二面から第一面への光を遮る第一状態の調光部の例を模式的に示す図、図１６Ｂは第一面に入射した光を鏡面反射させる第二状態の調光部の例を模式的に示す図、図１６Ｃは透視性の有る状態の調光部の例を模式的に示す図。
【図１７】図１７は、制御部で行われる境位置制御処理の例を示すフローチャート。
【図１８】図１８は、境位置を直接決める操作に応じた分割領域の変化の例を模式的に示す図。
【図１９】図１９は、境位置を直接決める操作に応じたグラデーション領域の変化の例を模式的に示す図。
【図２０】図２０は、シェード装置の電気回路の別の例を模式的に示すブロック図。
【図２１】図２１は、調光部の制御領域の例を模式的に示す図。
【図２２】図２２は、分割された制御領域の一部をカンバセーションミラーとして使用する例を模式的に示す図。
【図２３】図２３は、分割された制御領域の一部をバニティーミラーとして使用する例を模式的に示す図。
【図２４】図２４は、制御部で行われる追加制御処理の例を示すフローチャート。
【図２５】図２５は、バイザー本体の断面の別の例を模式的に示す図。
【図２６】図２６は、遮光モード、及び、ミラーモードにおける層状部の状態の例を模式的に示す図。
【発明を実施するための形態】
【０００９】
以下、本発明の実施形態を説明する。むろん、以下の実施形態は本発明を例示するものに過ぎず、実施形態に示す特徴の全てが発明の解決手段に必須になるとは限らない。
【００１０】
（１）本発明に含まれる技術の概要：
まず、図１〜２６に示される例を参照して本発明に含まれる技術の概要を説明する。尚、本願の図は模式的に例を示す図であり、これらの図に示される各方向の拡大率は異なることがあり、各図は整合していないことがある。むろん、本技術の各要素は、符号で示される具体例に限定されない。
【００１１】
［態様１］
本技術の一態様に係るシェード装置１は、第一面２ａ及び該第一面２ａとは反対側の第二面２ｂを有する本体（例えばバイザー本体２）、及び、制御部５０を備える。図６Ａ，６Ｂ，２５等に例示するように、前記本体（２）は、遮光状態を有する第一層状部１１０と、前記第一面２ａに入射した光Ｌ５を鏡面反射させる反射状態を有する第二層状部１２０と、を含む。前記第一層状部１１０と前記第二層状部１２０の少なくとも一方は、液晶層（１１１，１２１）を含む。前記制御部５０は、前記第一層状部１１０と前記第二層状部１２０のうち前記液晶層（１１１，１２１）を含む層状部の状態を制御することにより、前記本体（２）に、少なくとも、前記第二層状部１２０による光Ｌ５の鏡面反射を抑制して前記第二面２ｂから前記第一面２ａへの光Ｌ４を遮る第一状態（例えば図１５Ｃ参照）と、前記第一面２ａに入射した光Ｌ５を前記第二層状部１２０により鏡面反射させる第二状態（例えば図１５Ｂ参照）と、を選択的に実現させる。
【００１２】
第二層状部１２０による光Ｌ５の鏡面反射を抑制して第二面２ｂから第一面２ａへの光を遮る第一状態（図１５Ｃ）が選択されると、シェード装置１により光を遮ることができる。また、第一面２ａに入射した光Ｌ５を第二層状部１２０により鏡面反射させる第二状態（図１５Ｂ）が選択されると、シェード装置１の第一面２ａ側をミラーとして利用することができる。ミラーを覆うスライド蓋は不要であるので、スライド蓋をスライドさせるための構造は不要であり、本体のほぼ全体をミラーにする等、ミラーサイズを大きくすることが可能である。このように、本態様は、スライド蓋が無くてもミラーの使用状態と非使用状態とを実現させるシェード装置を提供することができる。
【００１３】
ここで、鏡面反射は、正反射とも呼ばれ、鏡面におけるように巨視的にみて反射の法則に従う光の反射を意味する。
尚、上記態様１の付言は、以下の態様も同様である。
【００１４】
また、図２等に例示するように、本シェード装置１は、前記第一状態及び前記第二状態を含む複数の状態から前記本体（２）に実現させる状態を受け付ける操作部６０をさらに備えてもよい。この場合、前記制御部５０は、前記操作部６０で受け付けられた状態を前記本体（２）に実現させてもよい。
さらに、前記制御部５０は、第一の条件が成立すると前記本体（２）に前記第一状態を実現させ、前記第一の条件とは異なる第二の条件が成立すると前記本体（２）に前記第二状態を実現させてもよい。例えば、前記第一の条件は、光検出部７０において眩光を検出した場合でもよい。前記第二の条件は、光検出部７０において外部（例えば車外）の光の強さが夜間のように所定の強さ未満である場合でもよい。
【００１５】
［態様２］
図６Ａ，７Ａ等に例示するように、前記第一層状部１１０は、第一液晶層１１１を有し、第一透視状態と前記遮光状態とに切り替え可能でもよい。図６Ａ，８Ａ等に例示するように、前記第二層状部１２０は、第二液晶層１２１を有し、前記第一層状部１１０よりも前記第一面２ａ側に配置されて前記反射状態と第二透視状態とに切り替え可能でもよい。図１５Ｃ等に例示するように、前記制御部５０は、前記第一層状部１１０を前記遮光状態に制御し前記第二層状部１２０を前記第二透視状態に制御することにより前記本体（２）に前記第一状態を実現させてもよい。図１５Ｂ等に例示するように、当該制御部５０は、前記第二層状部１２０を前記反射状態に制御することにより前記本体（２）に前記第二状態を実現させてもよい。図１５Ａ等に例示するように、当該制御部５０は、前記第一層状部１１０を前記第一透視状態に制御し前記第二層状部１２０を前記第二透視状態に制御することにより前記本体（２）に透視性の有る状態を含む第三状態を実現させてもよい。
【００１６】
前記第一状態（図１５Ｃ）において、本体（２）の第一面２ａに入射した光Ｌ５は、第二透視状態の第二層状部１２０を透過し、遮光状態の第一層状部１１０に吸収される。本体（２）の第二面２ｂに入射した光Ｌ４は、遮光状態の第一層状部１１０に吸収される。これにより、第二層状部１２０による光Ｌ５の鏡面反射が抑制されて第二面２ｂから第一面２ａへの光Ｌ４が遮られる。
前記第二状態（図１５Ｂ）において、本体（２）の第一面２ａに入射した光Ｌ５は、反射状態の第二層状部１２０において鏡面反射する。これにより、本体（２）の第一面２ａがミラーとして機能する。尚、第一層状部１１０は遮光状態であることが好ましいものの、第一層状部１１０が第一透視状態である場合は本体（２）がハーフミラーとして機能する。
前記第三状態（図１５Ａ）の透視性を有する状態において、本体（２）の第二面２ｂに入射した光Ｌ４は、第一透視状態の第一層状部１１０を透過して第二透視状態の第二層状部１２０を透過する。これにより、本体（２）を通して反対側を見ることができる。
以上より、本態様は、利便性をさらに向上させることが可能なシェード装置を提供することができる。
【００１７】
ここで、第一層状部には、液晶フィルム、液晶パネル、等が含まれる。
透視状態は、背後を透かして見ることができる状態を意味する。
遮光状態は、透視状態よりも光透過率が小さい状態を意味し、光透過率０％が理想であるものの、光を若干透過させる状態でもよい。光透過率は、物体（例えば第一層状部）への入射光強度に対する物体（例えば第一層状部）の透過光強度の比とする。「透光」は「物質を光が透過して他面から出ること」であるものとし、「透光」に「透視性」は有っても無くてもよい。「透視性」は、背後を透かして見ることができる性質であるものとする。
第二層状部には、液晶フィルム、液晶パネル、等が含まれる。
第三状態は、透視性を有する状態が含まれていればよく、常に透視性を有する状態でもよいし、光透過率が透視性の無い状態まで変化し得る状態でもよい。
尚、上記付言は、以下の態様も同様である。
【００１８】
また、図１２等に例示するように、前記第一層状部１１０は、光透過率を調整可能でもよい。この場合、前記制御部５０は、前記第一層状部１１０の光透過率を変更する制御を行ってもよい。本態様は、利便性をさらに向上させることが可能なシェード装置を提供することができる。
【００１９】
［態様３］
図６Ｂに例示するように、前記第二層状部１２０は、前記第一層状部１１０よりも前記第二面２ｂ側に配置されてもよい。前記制御部５０は、前記第一層状部１１０を前記遮光状態に制御することにより前記本体（２）に前記第一状態を実現させ、前記第一層状部１１０を前記第一透視状態に制御することにより前記本体（２）に前記第二状態を実現させてもよい。
【００２０】
前記第一状態において、本体（２）の第一面２ａに入射した光Ｌ５は、遮光状態の第一層状部１１０に吸収される。これにより、第二層状部１２０による光の鏡面反射が抑制されて第二面２ｂから第一面２ａへの光が遮られる。
前記第二状態において、本体（２）の第一面２ａに入射した光Ｌ５は、第一透視状態の第一層状部１１０を透過して第二層状部１２０において鏡面反射し、第一透視状態の第一層状部１１０を透過する。これにより、本体（２）の第一面２ａがミラーとして機能する。
以上より、本態様は、スライド蓋が無くてもミラーの使用状態と非使用状態とを実現させる好適なシェード装置を提供することができる。
【００２１】
［態様４］
図８Ａ，２５等に例示するように、前記第二層状部１２０は、第二液晶層１２１を有し、前記第一層状部１１０よりも前記第一面２ａ側に配置されて前記反射状態と第二透視状態とに切り替え可能でもよい。前記制御部５０は、前記第二層状部１２０を前記第二透視状態に制御することにより前記本体（２）に前記第一状態を実現させてもよい。当該制御部５０は、前記第二層状部１２０を前記反射状態に制御することにより前記本体（２）に前記第二状態を実現させてもよい。
【００２２】
前記第一状態において、本体（２）の第一面２ａに入射した光Ｌ５は、第二透視状態の第二層状部１２０を透過し、遮光状態の第一層状部１１０に吸収される。本体（２）の第二面２ｂに入射した光Ｌ４は、遮光状態の第一層状部１１０に吸収される。これにより、第二層状部１２０による光Ｌ５の鏡面反射が抑制されて第二面２ｂから第一面２ａへの光Ｌ４が遮られる。
前記第二状態において、本体（２）の第一面２ａに入射した光Ｌ５は、反射状態の第二層状部１２０において鏡面反射する。これにより、本体（２）の第一面２ａがミラーとして機能する。尚、第二層状部１２０の背後にある第一層状部１１０は、好ましい遮光状態である。
以上より、本態様は、スライド蓋が無くてもミラーの使用状態と非使用状態とを実現させる好適なシェード装置を提供することができる。
【００２３】
［態様５］
図２１等に例示するように、前記第一面２ａにおいて前記第二層状部１２０に対応する領域は、第一分割領域（例えば図２２の制御領域Ａ１２）及び第二分割領域（例えば図２２の制御領域Ａ１３）を含んでもよい。前記制御部５０は、前記第一分割領域（Ａ１２）において前記第一層状部１１０と前記第二層状部１２０のうち前記液晶層（１１１，１２１）を含む層状部の状態を制御することにより前記第一分割領域（Ａ１２）に少なくとも前記第一状態と前記第二状態とを選択的に実現させてもよい。当該制御部５０は、前記第一分割領域（Ａ１２）における制御とは別に前記第二分割領域（Ａ１３）において前記第一層状部１１０と前記第二層状部１２０のうち前記液晶層（１１１，１２１）を含む層状部の状態を制御することにより前記第二分割領域（Ａ１３）に少なくとも前記第一状態と前記第二状態とを選択的に実現させてもよい。本態様は、第一分割領域（Ａ１２）の状態と第二分割領域（Ａ１３）の状態とが別々に切り替わるので、利便性をさらに向上させるシェード装置を提供することができる。
【００２４】
［態様６］
図２０等に例示するように、本シェード装置１は、さらに、外部（例えば車外）の光Ｌ１０の強さを検出する光検出部７０（例えば日射センサー７１）を備えてもよい。前記制御部５０は、前記光検出部７０で検出される光の強さが第一の強さである場合、前記本体（２）に、少なくとも前記第一状態と前記第二状態とを選択的に実現させてもよい。図２４に例示するように、当該制御部５０は、前記光検出部７０で検出される光Ｌ１０の強さが前記第一の強さよりも弱い第二の強さである場合、前記本体（２）に前記第一状態以外の状態を実現させてもよい。外部が暗い場合、第二面２ｂから第一面２ａへの光Ｌ４を遮る必要性が少ないので、第一状態以外の状態が本体（２）に実現される方が好適である。従って、本態様は、利便性をさらに向上させるシェード装置を提供することができる。
ここで、光検出部には、照度センサー（日射センサーを含む。）、撮像素子、等が含まれる。
【００２５】
尚、図４等に例示するように、前記本体（２）は、前記第一面２ａに配置された第一透明板３１０を有してもよい。また、前記本体（２）は、前記第二面２ｂに配置された第二透明板３２０を有してもよい。当該本体（２）は、前記第一層状部１１０及び前記第二層状部１２０が挟まれた前記第一透明板３１０及び前記第二透明板３２０を支持する支持部材４０を有してもよい。ここで、第一透明板３１０と第二透明板３２０を透明板３０と総称する。
上述した態様１〜５で示した制御部５０は、支持部材４０といった本体（２）に配置されてもよいし、ステアリング等、本体（２）とは別の場所に配置されてもよい。
操作部６０は、支持部材４０や透明板３０といった本体（２）に配置されてもよいし、ステアリング等、本体（２）とは別の場所に配置されてもよい。
【００２６】
（２）シェード装置の具体例：
図１は、シェード装置をサンバイザーとして使用する例を模式的に示している。図１には、自動車１００の車室ＣＡ１の要部が示されている。ここで、符号Ｄ１１は上下方向を示し、符号Ｄ１２は車幅方向を示す。前後左右の位置関係は、図１に示すように自動車１００から前を見る方向を基準とする。
尚、「直交」は、厳密な９０°に限定されず、誤差により厳密な９０°からずれることを含む。また、方向や位置等の同一は、厳密な一致に限定されず、誤差により厳密な一致からずれることを含む。さらに、各部の位置関係の説明は、例示に過ぎない。従って、左右方向を上下方向又は前後方向に変更したり、上下方向を左右方向や前後方向に変更したり、前後方向を左右方向や上下方向に変更したり、回転方向を逆方向に変更したり等することも、本技術に含まれる。
【００２７】
図１に示す自動車１００には、運転席から見て、前にはフロントウィンドウ１０１があり、左右にはサイドウィンドウ１０２があり、フロントウィンドウ１０１とサイドウィンドウ１０２との間にフロントピラー１０３がある。自動車１００の天井部１０４におけるフロントウィンドウ１０１の近傍には、ルームミラー１０５、運転席側のシェード装置１Ａ、及び、助手席側のシェード装置１Ｂが取り付けられている。ここで、シェード装置１Ａ，１Ｂをシェード装置１と総称する。
【００２８】
図２は、運転席側のシェード装置１Ａをバイザー本体２（本体の例）の第一面２ａ側から見た様子を模式的に例示している。助手席側のシェード装置１Ｂは運転席側のシェード装置１Ａと左右対称であるので、運転席側のシェード装置１Ａをシェード装置１の代表として説明する。ここで、バイザー本体２の第一面２ａは、バイザー本体２が使用位置ＰＶ２にある場合に乗員の方を向いている面とする。バイザー本体２の第二面２ｂは、バイザー本体２において第一面２ａとは反対側にある面であり、バイザー本体２が使用位置ＰＶ２にある場合に前を向いている面である。また、符号Ｄ１は調光領域２０を分ける所定方向を示し、符号Ｄ１ａは所定方向Ｄ１の一方側であり、符号Ｄ１ｂは所定方向Ｄ１の他方側である。図２には使用状態において所定方向Ｄ１が上下方向Ｄ１１である例が示されている。符号Ｄ２は所定方向Ｄ１と直交する幅方向であり、図２には使用状態において幅方向Ｄ２が車幅方向Ｄ１２である例が示されている。図３は、シェード装置１を組み立てる前の各部を模式的に例示している。図４は、シェード装置１の縦断面を模式的に例示している。図４の右側には、透明板３０の下縁部３２ｂ及びその近傍を拡大して示している。図４では、調光部１０と接着層ＡＤ１，ＡＤ２と透明板３０の断面を表すハッチングを省略している。符号Ｄ１３は前後方向であり、図４では使用状態にあるバイザー本体２の断面を示している。
【００２９】
図２に示すシェード装置１は、軸部材９０を有するバイザー本体２、制御部５０、操作部６０、及び、光検出部７０を有している。バイザー本体２は、調光部１０、透明板３０、及び、支持部材４０を有している。軸部材９０は、天井部１０４に取り付けられる基部９１、及び、この基部９１に対して短軸部９２ｂを中心として回転動作可能に支持されるＬ字部材９２を有している。バイザー本体２の支持部材４０の上部４３は、Ｌ字部材９２に対してＬ字部材９２の長軸部９２ａを中心として回転動作可能に支持されている。従って、図１に示すように、ユーザーは、長軸部９２ａを中心としてバイザー本体２を、例えば、天井部１０４に沿った非使用位置ＰＶ１にしたり、フロントウィンドウ１０１の一部が隠れる使用位置ＰＶ２にしたりすることができる。また、ユーザーは、短軸部９２ｂを中心としてバイザー本体２を、サイドウィンドウ１０２の一部が隠れる側方位置ＰＶ３にしたり、使用位置ＰＶ２に戻したりすることができる。軸部材９０には、自動車１００のバッテリーからバイザー本体２の電気回路に電力を供給するためのケーブル９５（図３参照）も配置されている。むろん、バイザー本体２に電池を設置すれば、ケーブルは無くてもよい。
【００３０】
調光部１０は、図６Ａ，６Ｂ等に示すように、第一液晶層１１１を有し第一透視状態と遮光状態とに切り替え可能な第一層状部１１０と、乗員側の第一面２ａに入射した光Ｌ５を鏡面反射させる反射状態を有する第二層状部１２０と、を含んでいる。調光部１０の詳細は、後述する。層状の調光部１０は、保護用の透明板３０に保持されている。
【００３１】
透明板３０は、層状調光部１０の一面側１０ａに配置された第一透明板３１０と、層状調光部１０の他面側１０ｂに配置された第二透明板３２０と、に分かれている。本具体例では、バイザー本体２が使用位置ＰＶ２にある場合に、運転手から調光部１０の一面側１０ａが見えて他面側１０ｂが見えないものとする。従って、シェード装置１の使用状態において、第一透明板３１０が車室ＣＡ１側にあり、第二透明板３２０がフロントウィンドウ１０１に対向することになる。以下、第一透明板と第二透明板をまとめて説明する際には、単に「透明板」と記載する。
透明板３０には、熱可塑性樹脂といった合成樹脂等を用いることができ、ポリカーボネート（ＰＣ）樹脂、アクリル（ＰＭＭＡ）樹脂、アクリロニトリルブタジエンスチレン（ＡＢＳ）樹脂、シリコーン（ＳＩ）樹脂、ポリエチレン（ＰＥ）樹脂、ポリプロピレン（ＰＰ）樹脂、といった透明性を有する樹脂等を用いることができる。例えば、透明性を有する樹脂材料に対して射出成形といった公知の成形を行うことにより、所要形状の透明板３０を形成することができる。
【００３２】
図４等に示すように、調光部１０の一面側１０ａは、接着層ＡＤ１を介して第一透明板３１０の内側面３１２に接着することができる。調光部１０の他面側１０ｂは、接着層ＡＤ２を介して第二透明板３２０の内側面３２２に接着することができる。図６Ａ，６Ｂに示すように、調光部１０に含まれる層状部１１０，１２０は、接着層ＡＤ３を介して互いに接着することができる。接着層ＡＤ１，ＡＤ２，ＡＤ３を形成するための接着剤は、光学接着剤（ＯＣＡ；Optical Clear Adhesive）、光学樹脂（ＯＣＲ；Optical Clear Resin）、等を用いることができ、ＯＣＡテープ等でもよい。
【００３３】
透明板３０の縁部３２は、図４に示すように、丸みを有するＲ形状とされている。ここで、図２に示すように、透明板３０の縁部３２を、上側の上縁部３２ａ、下側の下縁部３２ｂ、ルームミラー１０５側の第一側縁部３２ｃ、及び、フロントピラー１０３側（第一側縁部３２ｃとは反対側の例）の第二側縁部３２ｄに分ける。少なくとも下縁部３２ｂ及び第一側縁部３２ｃは、図４に示すように、光を拡散透過させるためのしぼ３４が形成されている。しぼ３４は、微細な凹凸であり、例えば、射出成形型に微細な凹凸を形成したりブラスト加工を行ったりすることにより形成することができる。しぼ３４により透明板３０の縁部３２を拡散透過面にすると、図４に示すように、透明板３０の縁部３２に入射した眩光Ｌ１１は、屈折しても拡散透過する。従って、本具体例は、防眩性を向上させながら層状調光部１０を使用することができるので、利便性が向上する。
【００３４】
図５は、透明板３０の要部を模式的に例示している。図５の上部には、第一透明板３１０の背後にある第二透明板３２０を抜き出して示している。図５の下部には、挿通部３１１，３２１及びその近傍における透明板３０の支持構造の縦断面を示している。符号Ｄ３は、第二面２ｂから第一面２ａに向かう方向を示す。図５に示す第一透明板３１０は、遊びがある状態でねじＳＣ１を通す第一挿通部３１１を有している。この第一挿通部３１１は、第一透明板３１０の厚さ方向（方向Ｄ３）へ貫通した穴であり、ねじＳＣ１の頭を残して遊びがある状態でねじＳＣ１を通す。また、図５に示す第二透明板３２０は、遊びがある状態で支持部材４０のボス４２３を通す第二挿通部３２１を有している。この第二挿通部３２１は、第二透明板３２０の厚さ方向（方向Ｄ３）へ貫通した穴であり、ねじＳＣ１の螺合部４２２が形成されたボス４２３を通す。
【００３５】
図２〜５に示す支持部材４０は、層状調光部１０を保持する透明板３０を支持する。本具体例の支持部材４０は、調光部１０が挟まれた第一透明板３１０及び第二透明板３２０を支持する。図３〜５に示す支持部材４０は、第一透明板３１０側の第一壁部４１１を有する第一ベゼル４１０と、第二透明板３２０側の第二壁部４２１を有する第二ベゼル４２０と、に分かれている。各ベゼル４１０，４２０は、例えば、樹脂材料に対して射出成形といった公知の成形を行うことにより所要形状に形成することができる。前記樹脂材料には、熱可塑性樹脂といった合成樹脂等を用いることができ、ＰＰ樹脂といったポリオレフィン樹脂、アクリロニトリルスチレン共重合体（ＡＳ）樹脂、アクリロニトリルブタジエンスチレン（ＡＢＳ）樹脂、ポリアミド樹脂、これらの樹脂に着色剤や充てん材等といった添加剤を添加した材料、等を用いることができる。本具体例では支持部材４０が不透明の材料で形成されているものとするが、支持部材４０は不透明（光透過率０％）であることに限定されない。
【００３６】
第一ベゼル４１０と第二ベゼル４２０は、調光部１０が挟まれた透明板３１０，３２０を挟んだ状態で一体化されている。この一体化は、超音波溶着、熱溶着、接着剤の塗布、粘着テープの貼り付け、等により行うことができる。
【００３７】
図５に示す第二ベゼル４２０の第二壁部４２１からは、第二面２ｂから第一面２ａに向かう方向Ｄ３へボス４２３が突出している。このボス４２３は、第二透明板３２０の貫通穴である第二挿通部３２１を遊びがある状態で通り抜ける太さであり、第一透明板３１０の貫通穴である第一挿通部３１１を通り抜けることができない太さである。ボス４２３の先端４２３ｅには、第一挿通部３１１を通ったねじＳＣ１と螺合する螺合部４２２が形成されている。遊びがある状態で第二挿通部３２１を通ったボス４２３の先端４２３ｅに螺合部４２２が形成されているので、第一挿通部３１１を通ったねじＳＣ１がボス４２３の先端４２３ｅに螺入される。第二透明板３２０の縁部は、第二挿通部３２１を通ったボス４２３により保持される。
【００３８】
図１，２に示す支持部材４０は、層状調光部１０を保持する透明板３０における上縁部３２ａを覆う上部４３、及び、透明板３０におけるフロントピラー１０３側の第二側縁部３２ｄを覆う側部４４を有している。支持部材４０は、透明板３０における下縁部３２ｂ及び第一側縁部３２ｃを露出させ、透明板３０における上縁部３２ａ及び第二側縁部３２ｄを覆っている。上部４３と側部４４が一体化された支持部材４０の形状は、略Ｌ字状である。本具体例では、側部４４の内部に制御部５０の例であるＥＣＵ（Electronic Control Unit；電子制御装置）５１が収容され、側部４４の第一ベゼル４１０側の表面に操作部６０が配置され、上部４３の第二ベゼル４２０側の表面に日射センサー７１（光検出部７０の例）が配置されているものとする。
【００３９】
透明板３０の下縁部３２ｂが不透明の支持部材４０から露出しているため、透明板３０の下縁部３２ｂの視認性が向上している。また、透明板３０のルームミラー１０５側の第一側縁部３２ｃが支持部材４０から露出しているため、ルームミラー１０５の視認性が向上する。一方、透明板３０の上縁部３２ａはバイザー本体２の使用時に眩光を遮る必要がある可能性が高いため、不透明の支持部材４０で覆われてもよい。透明板３０のルームミラー１０５とは反対側には元々視界が遮られるフロントピラー１０３があるため、透明板３０の第二側縁部３２ｄが不透明の支持部材４０で覆われてもよい。支持部材４０の上部４３及び側部４４が一体化されていることにより、層状調光部１０を保持する透明板３０を支持する支持部材４０の強度が良好である。
本具体例は、ルームミラー１０５の視認性を向上させながら層状調光部１０を使用することができるので、利便性が向上する。
【００４０】
図６Ａは、運転席側のシェード装置１Ａにおけるバイザー本体２の断面を模式的に例示している。図６Ｂは、助手席側のシェード装置１Ｂにおけるバイザー本体２の断面を模式的に例示している。
両シェード装置１Ａ，１Ｂの第一層状部１１０は、第二面２ｂから第一面２ａに向かう順に、吸収型偏光層１１２、第一液晶層１１１、及び、吸収型偏光層１１３を含んでいる。第一層状部１１０は、第一透視状態と遮光状態とに切り替え可能である。本具体例の第一層状部１１０は液晶フィルムであるとするが、第一層状部１１０はガラスといった薄板を含む液晶パネル等でもよい。いずれの場合も、第一層状部１１０は、偏光層１１２，１１３や透明板３０に保護される。
【００４１】
第二層状部１２０は、シェード装置１Ａとシェード装置１Ｂとで異なる。
図６Ａに示すように、運転席側のシェード装置１Ａの第二層状部１２０は、第一層状部１１０よりも第一面２ａ側に配置され、第二面２ｂから第一面２ａに向かう順に、反射型偏光層１２２、第二液晶層１２１、及び、吸収型偏光層１２３を含んでいる。シェード装置１Ａにおいて、第一透明板３１０と吸収型偏光層１２３との間に接着層ＡＤ１があり、第二透明板３２０と吸収型偏光層１１２との間に接着層ＡＤ２があり、吸収型偏光層１１３と反射型偏光層１２２との間に接着層ＡＤ３がある。
【００４２】
図６Ｂに示すように、助手席側のシェード装置１Ｂの第二層状部１２０Ａは、第一層状部１１０よりも第二面２ｂ側に配置され、第一面２ａに入射した光Ｌ５を鏡面反射させる材料である。ここで、第二層状部１２０Ａの概念は、第二層状部１２０の概念に含まれる。第二層状部１２０Ａには、ガラスといった透明板に金属を蒸着したミラー、ＳＵＳ（ステンレス）といった金属のミラー、等を用いることができる。いずれの場合も、第二層状部１２０Ａは、透明板３０に保護される。シェード装置１Ｂにおいて、第一透明板３１０と吸収型偏光層１１３との間に接着層ＡＤ１があり、第二透明板３２０と第二層状部１２０Ａとの間に接着層ＡＤ２があり、第二層状部１２０Ａと吸収型偏光層１１２との間に接着層ＡＤ３がある。
尚、助手席側のシェード装置１Ｂのバイザー本体２を図６Ａに示すような構造にしてもよいし、運転席側のシェード装置１Ａのバイザー本体２を図６Ｂに示すような構造にしてもよい。いずれの場合も、本技術に含まれる。
【００４３】
まず、図７Ａ，７Ｂを参照して、第一層状部１１０の機能の例を説明する。
図７Ａは、第一層状部１１０にＴＮ（Twisted Nematic）方式の液晶フィルムを用いる場合の機能の例を模式的に示している。吸収型偏光層１１２，１１３の吸収軸方向Ｄ２１は、互いに直交している。第一液晶層１１１に印加される電圧がオフ（OFF）である場合、液晶分子の９０°の捩れにより、外部から吸収型偏光層１１２を通過した偏光Ｌ１が９０°捩られて吸収型偏光層１１３を通過する。これにより、第一層状部１１０に第一透視状態が実現される。図示していないが、外部から吸収型偏光層１１３を通過した偏光は、９０°捩られて吸収型偏光層１１２を通過する。第一液晶層１１１に印加される電圧がオン（ON）になると、液晶分子が垂直に立ち上がり、外部から吸収型偏光層１１２を通過した偏光Ｌ１は、捩られず、吸収型偏光層１１３に遮られる。これにより、第一層状部１１０に遮光状態が実現される。図示していないが、外部から吸収型偏光層１１３を通過した偏光は、捩られず、吸収型偏光層１１２に遮られる。尚、第一液晶層１１１に印加される電圧が所定範囲内で高くなるほど液晶分子の立ち上がりの度合いが大きくなるため、第一液晶層１１１に印加する電圧に応じて第一層状部１１０の光透過率を変えることができる。
【００４４】
図７Ｂは、第一層状部１１０にＶＡ（Vertical Alignment）方式の液晶フィルムを用いる場合の機能の例を模式的に示している。吸収型偏光層１１２，１１３の吸収軸方向Ｄ２１は、互いに直交している。第一液晶層１１１に印加される電圧がオフ（OFF）である場合、液晶分子が垂直に向いており、外部から吸収型偏光層１１２を通過した偏光Ｌ１は、捩られず、吸収型偏光層１１３に遮られる。これにより、第一層状部１１０に遮光状態が実現される。図示していないが、外部から吸収型偏光層１１３を通過した偏光は、捩られず、吸収型偏光層１１２に遮られる。第一液晶層１１１に印加される電圧がオン（ON）になると、液晶分子が倒れ、外部から吸収型偏光層１１２を通過した偏光Ｌ１が９０°捩られて吸収型偏光層１１３を通過する。これにより、第一層状部１１０に第一透視状態が実現される。図示していないが、外部から吸収型偏光層１１３を通過した偏光は、９０°捩られて吸収型偏光層１１２を通過する。尚、第一液晶層１１１に印加される電圧が所定範囲内で高くなるほど液晶分子の倒れの度合いが大きくなるため、第一液晶層１１１に印加する電圧に応じて第一層状部１１０の光透過率を変えることができる。
さらに、第一層状部１１０の液晶の駆動方式は、ＩＰＳ（In-Plane-Switching）方式等でもよい。むろん、液晶フィルムの代わりに液晶パネルを用いてもよい。
【００４５】
電圧の印加に対する液晶層の応答が速いので、第一層状部１１０の状態を第一液晶層１１１に印加する電圧により切り替えることにより、素早く第一層状部１１０の状態を切り替えることができる。また、遮光状態の第一層状部１１０は光透過率が低く黒色に見えるので、太陽光等の眩光を効果的に遮ることができる。
【００４６】
次に、図８Ａ〜８Ｃを参照して、第二層状部１２０の反射型偏光層１２２の機能の例を説明する。
図８Ａは、反射型偏光層１２２が直線偏光反射方式である場合の機能の例を模式的に示している。直線偏光反射方式の反射型偏光層には、フィルム材料をベースとしたワイヤグリッド偏光子、多層薄膜構造の反射型偏光フィルム、等を用いることができる。例えば、ワイヤグリッド偏光子は、金属等で構成された導電体線が特定のピッチで格子状に配列されている。そのピッチが入射光の波長（例えば可視光の４００〜８００ｎｍ）の例えば１／２以下であれば、ワイヤグリッド偏光子は、導電体線に対して平行に振動する電場ベクトル成分の光をほとんど反射し、導電体線に対して垂直な電場ベクトル成分の光をほとんど透過させる。尚、本願において、「Min〜Max」は、最小値Min以上、且つ、最大値Max以下を意味する。図８Ａに示す反射型偏光層１２２は、導電体線の向きが上下方向であり、水平に振動する偏光Ｌ２をほとんど透過させ、上下に振動する偏光Ｌ３をほとんど鏡面反射させる。ワイヤグリッド方式以外の直線偏光反射方式でも、或る方向に振動する偏光Ｌ２をほとんど透過させ、その方向と直交する方向に振動する偏光Ｌ３をほとんど鏡面反射させる。
【００４７】
図８Ｂ，８Ｃは、反射型偏光層１２２がコレステリック液晶層１３１を含む多層構造である場合の機能の例を模式的に示している。図８Ｂ，８Ｃに示す反射型偏光層１２２は、第二面２ｂから第一面２ａに向かう順に、位相差層１３２、コレステリック液晶層１３１、及び、位相差層１３３を含んでいる。コレステリック液晶層１３１は、図８Ｂに示すように第一の回転方向の円偏光をほとんど透過させ、図８Ｃに示すように第一の回転方向とは反対の第二の回転方向の円偏光を第一の回転方向の円偏光としてほとんど鏡面反射させる。位相差層１３２，１３３には、λ／４位相差フィルム等を用いることができる。図８Ｂに示す例では、水平に振動する偏光Ｌ２を位相差層１３２が左回り（第一の回転方向）の円偏光に変え、この円偏光をコレステリック液晶層１３１が透過させて位相差層１３３が水平振動の偏光に戻している。図８Ｃに示す例では、上下に振動する偏光Ｌ３を位相差層１３２が右回り（第二の回転方向）の円偏光に変え、この円偏光をコレステリック液晶層１３１が鏡面反射させて位相差層１３２が上下振動の偏光に戻している。
以上のように、コレステリック液晶層１３１を含む反射型偏光層１２２は、或る方向に振動する偏光Ｌ２をほとんど透過させ、その方向と直交する方向に振動する偏光Ｌ３をほとんど鏡面反射させる。
【００４８】
第二層状部１２０の第二液晶層１２１の駆動方式には、ＴＮ方式、ＶＡ方式、ＩＰＳ方式、等を採用することができる。例えば、図９に示すように、第二層状部１２０の吸収型偏光層１２３の吸収軸方向Ｄ２１が水平方向であり、第二液晶層１２１がＴＮ方式であるとする。外部から吸収型偏光層１２３を通過した偏光は、上下に振動する偏光である。第二液晶層１２１に印加される電圧がオフ（OFF）である場合、液晶分子の９０°の捩れにより、上下に振動する偏光が９０°捩られ、水平に振動する偏光が反射型偏光層１２２を通過する。これにより、第二層状部１２０に第二透視状態が実現される。また、外部から反射型偏光層１２２を通過した水平振動の偏光は、液晶分子の９０°の捩れにより９０°捩られ、上下振動の偏光が吸収型偏光層１２３を通過する。第二液晶層１２１に印加される電圧がオン（ON）になると、液晶分子が垂直に立ち上がり、外部から吸収型偏光層１２３を通過した上下振動の偏光は、捩られず、反射型偏光層１２２により鏡面反射する。この鏡面反射した上下振動の偏光は、第二液晶層１２１と吸収型偏光層１２３を通過する。これにより、第二層状部１２０に反射状態が実現される。
尚、第二層状部１２０は液晶を用いたミラーであるため、斜めに入射した光の反射率が低くなって眩しさが低減される。また、第二液晶層１２１に印加される電圧が所定範囲内で高くなるほど液晶分子の立ち上がりの度合いが大きくなるため、第二液晶層１２１に印加する電圧に応じて第二層状部１２０の光の反射率を変えることができる。
【００４９】
反射型偏光層１２２、第二液晶層１２１、及び、吸収型偏光層１２３を含む第二層状部１２０は、液晶フィルムであるとするが、液晶パネルでもよい。いずれの場合も、第二層状部１２０は、偏光層１２２，１２３や透明板３０に保護される。
電圧の印加に対する液晶層の応答が速いので、第二層状部１２０の状態を第二液晶層１２１に印加する電圧により切り替えることにより、素早く第二層状部１２０の状態を切り替えることができる。
層状部１１０，１２０は、エレクトロデポジション方式等と比べても応答が速いので、車両用バイザー装置に対する使用に好適である。
【００５０】
図９は、反射型偏光層１２２を含む第二層状部１２０を用いる場合の調光部１０の構成例を模式的に分解して示している。図９に示す調光部１０は、第二面２ｂから第一面２ａに向かう順に、吸収型偏光層１１２、第一液晶層１１１、吸収型偏光層１１３、反射型偏光層１２２、第二液晶層１２１、及び、吸収型偏光層１２３を含んでいる。吸収型偏光層１１２，１２３の吸収軸方向Ｄ２１は、水平方向である。吸収型偏光層１２３の吸収軸方向Ｄ２１は、上下方向である。反射型偏光層１２２の反射軸方向Ｄ２２は、上下方向である。
【００５１】
（３）モード切り替え処理の具体例：
図１０は、調光部１０、ＥＣＵ５１（制御部５０の例）、操作部６０、及び、日射センサー７１（光検出部７０の例）を含むシェード装置１の電気回路を模式的に例示している。ＥＣＵ５１には、調光部１０、操作部６０、及び、日射センサー７１が接続されている。
【００５２】
ＥＣＵ５１は、例えば、ＣＰＵ（Central Processing Unit）、半導体メモリー、Ｉ／Ｏ（入出力）回路、タイマー（Timer）、等を有する。半導体メモリーには、例えば、ＲＯＭ（Read Only Memory）とＲＡＭ（Random Access Memory）が含まれる。シェード装置の制御プログラムが半導体メモリーに記録される場合、この半導体メモリーはシェード装置の制御プログラムを記録したコンピューター読み取り可能な記録媒体となる。ＥＣＵ５１のＣＰＵは、ＲＡＭをワークエリアとして使用し半導体メモリー（例えばＲＯＭ）に記録されている制御プログラムを必要に応じて読み出して実行することにより、コンピューターを制御部５０として機能させる。
本具体例のＥＣＵ５１は支持部材４０の側部４４に配置されているが、ＥＣＵ５１は、支持部材４０の上部４３に配置されてもよいし、自動車１００の本体側に配置されてもよい。バイザー本体２の電気回路とバイザー本体外のＥＣＵとを接続する信号線を例えば軸部材９０に配置すると、ＥＣＵをバイザー本体外に配置することができる。
【００５３】
操作部６０は、複数のモード切り替えスイッチ６１、及び、長尺状スイッチ６２（長尺状操作部の例）を有している。本具体例のスイッチ６１，６２は表面に接触する操作を受け付ける静電容量スイッチ（capacitive switch）であるものとするが、スイッチ６１，６２は、静電容量形近接スイッチ、機械接点式のキースイッチ、等でもよい。表面に接触する操作を受け付ける静電容量スイッチは、タッチスイッチ、タッチセンサー、等とも呼ばれる。複数のモード切り替えスイッチ６１は、所定方向Ｄ１へ並べられており、表面６１ａに接触する操作を受け付ける。長尺状スイッチ６２は、所定方向Ｄ１に沿って配置され、表面６２ａに接触する操作を受け付ける。
本具体例の操作部６０は支持部材４０の側部４４における第一ベゼル４１０の表面に配置されているが、操作部６０は、支持部材４０の上部４３の表面に配置されてもよいし、ステアリングなど自動車１００の本体側に配置されてもよい。バイザー本体２の電気回路とバイザー本体外の操作部とを接続する信号線を例えば軸部材９０に配置すると、操作部をバイザー本体外に配置することができる。また、透明なタッチパネルを透明板３０の表面の一部又は全部に貼り付けると、このタッチパネルを操作部６０にすることができる。
【００５４】
日射センサー７１は、入射する光の強度を内蔵のフォトダイオードに流れる電流として検出する。日射センサー７１は、検出電流を電圧に変換して出力してもよい。外部の光Ｌ１０の強さについて昼間の光の強さに含まれる第一の強さと夜間の光の強さに含まれる第二の強さとの間に閾値を設定しておけば、日射センサー７１からの出力に基づいて外部の光Ｌ１０の強さを判定することができる。尚、光検出部７０は、日射センサーに限定されず、撮像素子等でもよい。
本具体例の日射センサー７１は支持部材４０の上部４３における第二ベゼル４２０の表面に配置されているが、支持部材４０の側部４４の表面に配置されてもよいし、ルームミラー１０５の裏側など自動車１００の本体側に配置されてもよい。バイザー本体２の電気回路とバイザー本体外の日射センサーとを接続する信号線を例えば軸部材９０に配置すると、日射センサーをバイザー本体外に配置することができる。
【００５５】
図１１は、ＥＣＵ５１に接続された第一層状部１１０の調光領域２０を模式的に例示している。図１１に示す調光領域２０は、バイザー本体２が使用位置ＰＶ２にある時の上下方向Ｄ１１（所定方向Ｄ１の例）へ並べられた細長い調光領域Ａ１〜Ａ８を含んでいる。以下、バイザー本体２が使用位置ＰＶ２にある場合を基準として上下関係を説明する。長尺状の調光領域Ａ１〜Ａ８は、長手方向を幅方向Ｄ２へ向けて配置され、個別に光透過率を調整可能である。便宜上、下（一方側Ｄ１ａ）から上（他方側Ｄ１ｂ）の順に調光領域Ａ１，Ａ２，…，Ａ８と名付ける。尚、調光部１０の調光領域の数は、７以下でもよいし、９以上でもよい。また、幅方向Ｄ２において調光領域が分割されてもよい。
【００５６】
図１２に例示するように、ＥＣＵ５１は操作部６０への操作に応じて調光部１０を制御する。図１２は、ＥＣＵ５１で行われる切り替え制御処理を例示している。この処理は、バイザー本体２への通電が開始された時に開始してもよいし、バイザー本体２が使用位置ＰＶ２となったことを検出した時に開始してもよい。例えば、バイザー本体２が使用位置ＰＶ２となったことを検出するセンサーをシェード装置１に設けると、バイザー本体２が使用位置ＰＶ２となったことを検出したことをトリガーとして切り替え制御処理を開始することができる。また、バイザー本体２が非使用位置ＰＶ１から使用位置ＰＶ２に変わると日射センサー７１への入射光が強くなると想定されるので、入射光の強度上昇が該強度上昇の閾値を超えたことを検出したことをトリガーとしても切り替え制御処理を開始することができる。
尚、バイザー本体２が非使用位置ＰＶ１となったことを検出した時にはバイザー本体２への通電を停止して調光部１０を遮光状態（例えば光透過率０％）にしてもよい。また、バイザー本体２が側方位置ＰＶ３となったことを検出した時にもバイザー本体２への通電を停止して調光部１０を遮光状態にしてもよい。さらに、バイザー本体２の背面側（第二ベゼル４２０）に調光部１０を遮光状態にするための背面操作部を用意すれば、バイザー本体２が非使用位置ＰＶ１又は側方位置ＰＶ３にある時に背面操作部を操作することにより調光部１０を遮光状態にすることができる。
【００５７】
切り替え制御処理が開始されると、ＥＣＵ５１は、操作部６０への操作を受け付ける（ステップＳ１０２。以下、「ステップ」の記載を省略。）。その後、ＥＣＵ５１は、操作部６０への操作に応じた処理を行い（Ｓ１０４）、処理をＳ１０２に戻す。Ｓ１０４の操作別処理は、例えば、処理テーブルＴＡ１に従って行うことができる。むろん、処理テーブルＴＡ１の内容は、一例に過ぎない。図１２に示す処理テーブルＴＡ１は、運転席側のシェード装置１Ａの調光部１０を制御するための情報を有している。助手席側のシェード装置１Ｂの調光部１０を制御する場合、処理テーブルＴＡ１には、「遮光モード」と「ミラーモード」の情報があればよく、「透視モード」の情報は不要である。
【００５８】
例えば、モード切り替えスイッチ６１において「遮光モード」の接触操作を受け付けると、ＥＣＵ５１は、調光部１０の状態を制御することにより、第二層状部１２０による光の鏡面反射を抑制して第二面２ｂから第一面２ａへの光を遮る第一状態をバイザー本体２に実現させる。
モード切り替えスイッチ６１において「ミラーモード」の接触操作を受け付けると、ＥＣＵ５１は、調光部１０の状態を制御することにより、第一面２ａに入射した光を第二層状部１２０により鏡面反射させる第二状態をバイザー本体２に実現させる。
モード切り替えスイッチ６１において「透視モード」の接触操作を受け付けると、ＥＣＵ５１は、調光部１０の状態を制御することにより、バイザー本体２に透視性の有る状態を含む第三状態を実現させる。この第三状態は、透視性を有する状態が含まれ、光透過率が透視性の無い状態まで変化し得る状態である。
【００５９】
ここで、図１３，１４，１５Ａ〜１５Ｃ、１６Ａ〜１６Ｃ等を参照して、各モードにおける調光部１０の制御を説明する。図１３は、運転席側のシェード装置１Ａにおける層状部１１０，１２０の状態を模式的に例示している。図１４は、助手席側のシェード装置１Ｂにおける層状部１１０，１２０の状態を模式的に例示している。図１５Ａ〜１５Ｃは、運転席側のシェード装置１Ａにおいて液晶層１１１，１２１がＴＮ方式である場合の調光部１０の機能を模式的に例示している。図１６Ａ〜１６Ｃは、運転席側のシェード装置１Ａにおいて第一液晶層１１１がＶＡ方式であって第二液晶層１２１がＴＮ方式である場合の調光部１０の機能を模式的に例示している。尚、図１５Ａ〜１５Ｃ，１６Ａ〜１６Ｃには、接着層ＡＤ３の図示を省略している。
【００６０】
運転席側のシェード装置１Ａが「遮光モード」に設定された場合、ＥＣＵ５１は、第一層状部１１０を遮光状態に制御し第二層状部１２０を第二透視状態に制御することによりバイザー本体２に「黒」の状態（第二面２ｂから第一面２ａへの光を遮る第一状態）を実現させる。この状態は、図１５Ｃ，１６Ａに対応している。
図１５Ｃにおいて、ＥＣＵ５１は、ＴＮ方式の第一液晶層１１１をオンに制御し、ＴＮ方式の第二液晶層１２１をオフに制御している。この場合、第一面２ａから入射した光のうち上下に振動する偏光Ｌ５は、吸収型偏光層１２３を通過し、第二液晶層１２１の液晶分子の９０°の捩れにより水平振動の偏光となり、反射型偏光層１２２を通過する（第二透視状態）。この水平振動の偏光は、吸収型偏光層１１３、及び、オン状態の第一液晶層１１１を通過し、吸収型偏光層１１２に吸収される。一方、第二面２ｂから入射した光のうち上下に振動する偏光Ｌ４は、吸収型偏光層１１２、及び、オン状態の第一液晶層１１１を通過し、吸収型偏光層１１３に吸収される（遮光状態）。
【００６１】
図１６Ａにおいて、ＥＣＵ５１は、ＶＡ方式の第一液晶層１１１をオフに制御し、ＴＮ方式の第二液晶層１２１をオフに制御している。この場合、第一面２ａから入射した光のうち上下に振動する偏光Ｌ５は、吸収型偏光層１２３を通過し、第二液晶層１２１の液晶分子の９０°の捩れにより水平振動の偏光となり、反射型偏光層１２２を通過する（第二透視状態）。この水平振動の偏光は、吸収型偏光層１１３、及び、オフ状態の第一液晶層１１１を通過し、吸収型偏光層１１２に吸収される。一方、第二面２ｂから入射した光のうち上下に振動する偏光Ｌ４は、吸収型偏光層１１２、及び、オフ状態の第一液晶層１１１を通過し、吸収型偏光層１１３に吸収される（遮光状態）。
【００６２】
助手席側のシェード装置１Ｂが「遮光モード」に設定された場合、ＥＣＵ５１は、図１４に示すように第一層状部１１０を遮光状態に制御することによりバイザー本体２に「黒」の状態（第二面２ｂから第一面２ａへの光を遮る第一状態）を実現させる。第一液晶層１１１が図７Ａで示したＴＮ方式である場合、ＥＣＵ５１は、第一液晶層１１１をオンに制御すればよい。第一液晶層１１１が図７Ｂで示したＶＡ方式である場合、ＥＣＵ５１は、第一液晶層１１１をオフに制御すればよい。
【００６３】
運転席側のシェード装置１Ａが「ミラーモード」に設定された場合、ＥＣＵ５１は、第一層状部１１０を遮光状態に制御し第二層状部１２０を反射状態に制御することによりバイザー本体２に「ミラー」の状態（第一面２ａに入射した光を鏡面反射させる第二状態）を実現させる。この状態は、図１５Ｂ，１６Ｂに対応している。
図１５Ｂにおいて、ＥＣＵ５１は、ＴＮ方式の液晶層１１１，１２１をオンに制御している。この場合、第一面２ａから入射した光のうち上下に振動する偏光Ｌ５は、吸収型偏光層１２３、及び、オン状態の第二液晶層１２１を通過し、反射型偏光層１２２により鏡面反射する（反射状態）。この鏡面反射した上下振動の偏光は、オン状態の第二液晶層１２１、及び、吸収型偏光層１２３を通過し、第一面２ａから出る。一方、第二面２ｂから入射した光のうち上下に振動する偏光Ｌ４は、吸収型偏光層１１２、及び、オン状態の第一液晶層１１１を通過し、吸収型偏光層１１３に吸収される（遮光状態）。
【００６４】
図１６Ｂにおいて、ＥＣＵ５１は、ＶＡ方式の第一液晶層１１１をオフに制御し、ＴＮ方式の第二液晶層１２１をオンに制御している。この場合、第一面２ａから入射した光のうち上下に振動する偏光Ｌ５は、吸収型偏光層１２３、及び、オン状態の第二液晶層１２１を通過し、反射型偏光層１２２により鏡面反射する（反射状態）。この鏡面反射した上下振動の偏光は、オン状態の第二液晶層１２１、及び、吸収型偏光層１２３を通過し、第一面２ａから出る。一方、第二面２ｂから入射した光のうち上下に振動する偏光Ｌ４は、吸収型偏光層１１２、及び、オフ状態の第一液晶層１１１を通過し、吸収型偏光層１１３に吸収される（遮光状態）。
【００６５】
助手席側のシェード装置１Ｂが「ミラーモード」に設定された場合、ＥＣＵ５１は、図１４に示すように第一層状部１１０を第一透視状態に制御することによりバイザー本体２に「ミラー」の状態（第一面２ａに入射した光を鏡面反射させる第二状態）を実現させる。第一液晶層１１１が図７Ａで示したＴＮ方式である場合、ＥＣＵ５１は、第一液晶層１１１をオフに制御すればよい。第一液晶層１１１が図７Ｂで示したＶＡ方式である場合、ＥＣＵ５１は、第一液晶層１１１をオンに制御すればよい。
【００６６】
運転席側のシェード装置１Ａが「透視モード」に設定された場合、ＥＣＵ５１は、第一層状部１１０を第一透視状態に制御し第二層状部１２０を第二透視状態に制御することによりバイザー本体２に「透視」の状態（透視性の有る状態）を実現させる。この状態は、図１５Ａ，１６Ｃに対応している。
図１５Ａにおいて、ＥＣＵ５１は、ＴＮ方式の液晶層１１１，１２１をオフに制御している。この場合、第一面２ａから入射した光のうち上下に振動する偏光Ｌ５は、吸収型偏光層１２３を通過し、第二液晶層１２１の液晶分子の９０°の捩れにより水平振動の偏光となり、反射型偏光層１２２を通過する（第二透視状態）。この水平振動の偏光は、吸収型偏光層１１３を通過し、第一液晶層１１１の液晶分子の９０°の捩れにより上限振動の偏光となり、吸収型偏光層１１２を通過し（第一透視状態）、第二面２ｂから出る。一方、第二面２ｂから入射した光のうち上下に振動する偏光Ｌ４は、吸収型偏光層１１２を通過し、第一液晶層１１１の液晶分子の９０°の捩れにより水平振動の偏光となり、吸収型偏光層１１３を通過する（第一透視状態）。この水平振動の偏光は、反射型偏光層１２２を通過し、第二液晶層１２１の液晶分子の９０°の捩れにより上限振動の偏光となり、吸収型偏光層１２３を通過し（第二透視状態）、第一面２ａから出る。
【００６７】
図１６Ｃにおいて、ＥＣＵ５１は、ＶＡ方式の第一液晶層１１１をオンに制御し、ＴＮ方式の第二液晶層１２１をオフに制御している。この場合、第一面２ａから入射した光のうち上下に振動する偏光Ｌ５は、吸収型偏光層１２３を通過し、第二液晶層１２１の液晶分子の９０°の捩れにより水平振動の偏光となり、反射型偏光層１２２を通過する（第二透視状態）。この水平振動の偏光は、吸収型偏光層１１３を通過し、第一液晶層１１１の液晶分子の９０°の捩れにより上限振動の偏光となり、吸収型偏光層１１２を通過し（第一透視状態）、第二面２ｂから出る。一方、第二面２ｂから入射した光のうち上下に振動する偏光Ｌ４は、吸収型偏光層１１２を通過し、第一液晶層１１１の液晶分子の９０°の捩れにより水平振動の偏光となり、吸収型偏光層１１３を通過する（第一透視状態）。この水平振動の偏光は、反射型偏光層１２２を通過し、第二液晶層１２１の液晶分子の９０°の捩れにより上限振動の偏光となり、吸収型偏光層１２３を通過し（第二透視状態）、第一面２ａから出る。
【００６８】
図１５Ａ，１６Ｃで示したように透視性の有る状態は、「透視モード」において常に実現されてもよいが、図１２に示すように光透過率が透視性の無い状態まで変化し得る状態でもよい。以下、「透視モード」の詳細を説明する。
【００６９】
モード切り替えスイッチ６１において「遮光エリア分割」の接触操作を受け付けると、ＥＣＵ５１は、調光部１０において、境２３から下（一方側Ｄ１ａ）に透視性を有する第一の光透過率Ｔ１の第一領域２１を出現させ、境２３から上（他方側Ｄ１ｂ）に第一領域２１よりも光透過率が低い第二の光透過率Ｔ２の第二領域２２を出現させる。すなわち、所定方向Ｄ１の一方側Ｄ１ａに第一領域２１が配置され、所定方向Ｄ１の他方側Ｄ１ｂに第二領域２２が配置される。
モード切り替えスイッチ６１において「遮光グラデーション」の接触操作を受け付けると、ＥＣＵ５１は、下から上に向かって徐々に光透過率が下がるグラデーションパターンを調光部１０に出現させる。ここで、最も高く設定された光透過率を第一の光透過率Ｔ１とし、最も低く設定された光透過率を第二の光透過率Ｔ２とすると、境２３の光透過率を（Ｔ１＋Ｔ２）／２と定義することができる。従って、調光部１０には、境２３から下に透視性を有する第一領域２１が配置され、境２３から上に第一領域２１よりも光透過率が低い第二領域２２が配置される。
【００７０】
モード切り替えスイッチ６１において「光透過率自動調整」の接触操作を受け付けると、ＥＣＵ５１は、眩光Ｌ１１が検出されたか否かに応じて調光領域２０の光透過率を調整し、「境位置調整モード」へ移行させる。光透過率を調整する対象の調光領域２０は、全部（調光領域Ａ１〜Ａ８）の場合もあれば、一部の場合もある。
モード切り替えスイッチ６１において「光透過率手動調整」の接触操作を受け付けると、ＥＣＵ５１は、「光透過率調整モード」へ移行させる。
【００７１】
「境位置調整モード」において長尺状スイッチ６２が接触操作を受け付けると、ＥＣＵ５１は、前記接触操作の位置に応じて決まる境２３となるように第一領域２１及び第二領域２２を調光部１０に出現させる。長尺状スイッチ６２への操作位置は、境２３の位置に合わせられている。従って、長尺状スイッチ６２は、第一領域２１と第二領域２２との境２３の位置を直接決める操作を受け付ける。領域２１，２２は、「遮光エリア分割」操作時の分割領域の場合もあれば、「遮光グラデーション」操作時のグラデーション領域の場合もある。尚、境２３の位置を直接決める操作とは、境２３に対応する位置への操作を意味し、グラデーション領域の場合のように光透過率を変える操作により間接的に境２３が決まる操作を除く。
「光透過率調整モード」において長尺状スイッチ６２が表面６２ａに接触した状態におけるスライド操作を受け付けると、ＥＣＵ５１は、前記スライド操作に応じて調光領域２０の光透過率を制御する。光透過率を調整する対象の調光領域２０は、全部（調光領域Ａ１〜Ａ８）の場合もあれば、一部の場合もある。
【００７２】
尚、第一の光透過率Ｔ１は、透視性を有する光透過率であればよく、１〜１００％の範囲で設定することができる。液晶フィルムを用いる場合、最大の光透過率が３０〜６５％程度となることがある。第二の光透過率Ｔ２は、第一の光透過率Ｔ１よりも低ければよく、例えば、０〜５％程度（より好ましくは０〜１％程度、さらに好ましくは０％）とすることができる。第二の光透過率Ｔ２を０％にすると、第二領域２２に好ましい遮光領域が実現される。
【００７３】
次に、図１２，１７〜１９を参照して、「境位置調整モード」における境位置制御処理の例を説明する。図１７は、ＥＣＵ５１で行われる境位置制御処理を例示している。この処理は、長尺状スイッチ６２が接触操作を受け付けたことをトリガーとして行われる。図１８は、境２３の位置を直接決める操作に応じた分割領域（２１，２２）の変化を模式的に例示している。図１９は、境２３の位置を直接決める操作に応じたグラデーション領域（２１，２２）の変化を模式的に例示している。
図１７に示す境位置制御処理が開始されると、ＥＣＵ５１は、遮光エリアを分割領域にするかグラデーション領域にするかに応じて処理を分岐させる（Ｓ２０２）。モード切り替えスイッチ６１が「遮光エリア分割」の接触操作を受け付けていた場合には処理がＳ２０４に進められ、モード切り替えスイッチ６１が「遮光グラデーション」の接触操作を受け付けていた場合には処理がＳ２１０に進められる。
【００７４】
「遮光エリア分割」の操作時、ＥＣＵ５１は、長尺状スイッチ６２への接触操作に応じた境２３を有する分割領域（２１，２２）となるように各調光領域Ａ１〜Ａ８の光透過率を設定する（Ｓ２０４）。
【００７５】
例えば、図１８の状態ＳＴ１１に示すように、境２３が調光領域Ａ１，Ａ２の間であり、透視性を有する第一の光透過率Ｔ１の第一領域２１が調光領域Ａ１だけであり、比較的低い第二の光透過率Ｔ２の第二領域２２が調光領域Ａ２〜Ａ８であったとする。長尺状スイッチ６２の表面６２ａに対して、境２３に対応する第一の操作点Ｐ１から上方（他方側Ｄ１ｂの方）へ第二の操作点Ｐ２までユーザーが指Ｆ１を接触させてスライド操作したとする。この場合、ＥＣＵ５１は、接触操作の最後の位置である第二の操作点Ｐ２に対応する調光領域Ａ７，Ａ８の間を境２３の位置と決定し、この位置を境として、調光領域Ａ１〜Ａ７を第一の光透過率Ｔ１に制御し、調光領域Ａ８を第二の光透過率Ｔ２に制御する。これにより、長尺状スイッチ６２への操作により決められた位置を境２３として、調光領域Ａ１〜Ａ７に透視性を有する第一領域２１が出現し、調光領域Ａ８に比較的低い第二の光透過率Ｔ２の第二領域２２が出現する（状態ＳＴ１２）。
【００７６】
また、状態ＳＴ１２であった場合に、長尺状スイッチ６２の表面６２ａに対して、境２３に対応する第二の操作点Ｐ２から下方（一方側Ｄ１ａの方）へ第一の操作点Ｐ１までユーザーが指Ｆ１を接触させてスライド操作したとする。この場合、ＥＣＵ５１は、接触操作の最後の位置である第一の操作点Ｐ１に対応する調光領域Ａ２，Ａ３の間に境２３を移すことにし、調光領域Ａ１〜Ａ２を第一の光透過率Ｔ１に制御し、調光領域Ａ３〜Ａ８を第二の光透過率Ｔ２に制御する。これにより、調光領域Ａ１〜Ａ２に透視性を有する第一領域２１が出現し、調光領域Ａ３〜Ａ８に比較的低い第二の光透過率Ｔ２の第二領域２２が出現する（状態ＳＴ１３）。
【００７７】
分割領域（２１，２２）の設定後、ＥＣＵ５１は、透視性を有する第一領域２１の光透過率を自動的に調整する状態であるか否かに応じて処理を分岐させる（Ｓ２０６）。モード切り替えスイッチ６１が「光透過率自動調整」の接触操作を受け付けていた場合、ＥＣＵ５１は、次の操作が行われるまで、防眩制御処理を行う（Ｓ２０８）。モード切り替えスイッチ６１が「光透過率手動調整」の接触操作を受け付けていた場合、ＥＣＵ５１は、境位置制御処理を終了させる。境位置制御処理は長尺状スイッチ６２が接触操作を受け付けたことをトリガーとして行われるため、Ｓ２０４において長尺状スイッチ６２への接触操作に応じた境２３を有する分割領域（２１，２２）となるように各調光領域Ａ１〜Ａ８の光透過率を設定する処理が繰り返されることになる。
【００７８】
また、「遮光グラデーション」の操作時、ＥＣＵ５１は、長尺状スイッチ６２への接触操作に応じた境２３を有するグラデーション領域（２１，２２）となるように各調光領域Ａ１〜Ａ８の光透過率を設定する（Ｓ２１０）。
【００７９】
例えば、図１９の状態ＳＴ２１に示すように、境２３が調光領域Ａ３，Ａ４の間であり、透視性を有する第一領域２１が調光領域Ａ１〜Ａ３であり、比較的低い光透過率の第二領域２２が調光領域Ａ４〜Ａ８であったとする。また、調光領域Ａ１が最大の光透過率Ｔ１であり、調光領域Ａ６〜Ａ８が最小の光透過率Ｔ２であり、調光領域Ａ２，Ａ３，Ａ４，Ａ５がそれぞれ光透過率Ｔ３，Ｔ４，Ｔ５，Ｔ６であるとする。ただし、
Ｔ２＜Ｔ６＜Ｔ５＜（Ｔ１＋Ｔ２）／２＜Ｔ４＜Ｔ３＜Ｔ１
である。長尺状スイッチ６２の表面６２ａに対して、境２３に対応する第一の操作点Ｐ１から上方（他方側Ｄ１ｂの方）へ第二の操作点Ｐ２までユーザーが指Ｆ１を接触させてスライド操作したとする。この場合、ＥＣＵ５１は、接触操作の最後の位置である第二の操作点Ｐ２に対応する調光領域Ａ５，Ａ６の間を境２３の位置と決定し、調光領域Ａ１〜Ａ３を最大の光透過率Ｔ１に制御し、調光領域Ａ４，Ａ５，Ａ６，Ａ７をそれぞれ光透過率Ｔ３，Ｔ４，Ｔ５，Ｔ６に制御し、調光領域Ａ８を最小の光透過率Ｔ２に制御する。これにより、長尺状スイッチ６２への操作により決められた位置を境２３として、調光領域Ａ１〜Ａ５に透視性を有する第一領域２１が出現し、調光領域Ａ６〜Ａ８に比較的低い第二の光透過率Ｔ２の第二領域２２が出現する（状態ＳＴ２２）。
尚、「遮光エリア分割」と「遮光グラデーション」のいずれのモードでも、ユーザーが長尺状スイッチ６２の表面６２ａに対して調光領域Ａ８の上に対応する位置を接触操作すると、調光領域Ａ１〜Ａ８の全てを透視性の第一領域２１にすることができる。
【００８０】
また、状態ＳＴ２２であった場合に、長尺状スイッチ６２の表面６２ａに対して、境２３に対応する第二の操作点Ｐ２から下方（一方側Ｄ１ａの方）へ第一の操作点Ｐ１までユーザーが指Ｆ１を接触させてスライド操作したとする。この場合、ＥＣＵ５１は、接触操作の最後の位置である第一の操作点Ｐ１に対応する調光領域Ａ１，Ａ２の間に境２３を移すことにし、調光領域Ａ１，Ａ２，Ａ３をそれぞれ光透過率Ｔ４，Ｔ５，Ｔ６に制御し、調光領域Ａ４〜Ａ８を最小の光透過率Ｔ２に制御する。これにより、調光領域Ａ１に透視性を有する第一領域２１が出現し、調光領域Ａ２〜Ａ８に比較的低い第二の光透過率Ｔ２の第二領域２２が出現する（状態ＳＴ２３）。
尚、「遮光エリア分割」と「遮光グラデーション」のいずれのモードでも、ユーザーが長尺状スイッチ６２の表面６２ａに対して調光領域Ａ１の下に対応する位置を接触操作すると、調光領域Ａ１〜Ａ８の全てを比較的低い光透過率の第二領域２２にすることができる。
【００８１】
グラデーション領域（２１，２２）の設定後、ＥＣＵ５１は、透視性を有する第一領域２１の光透過率を自動的に調整する状態であるか否かに応じて処理を分岐させる（Ｓ２１２）。モード切り替えスイッチ６１が「光透過率自動調整」の接触操作を受け付けていた場合、ＥＣＵ５１は、次の操作が行われるまで、防眩制御処理を行う（Ｓ２１４）。モード切り替えスイッチ６１が「光透過率手動調整」の接触操作を受け付けていた場合、ＥＣＵ５１は、境位置制御処理を終了させる。境位置制御処理は長尺状スイッチ６２が接触操作を受け付けたことをトリガーとして行われるため、Ｓ２１０において長尺状スイッチ６２への接触操作に応じた境２３を有するグラデーション領域（２１，２２）となるように各調光領域Ａ１〜Ａ８の光透過率を設定する処理が繰り返されることになる。
【００８２】
以上説明したように、ユーザーは、調光部１０に分割領域を出現させるかグラデーション領域を出現させるかをモード切り替えスイッチ６１の操作により選択することができる。また、シェード装置１を使用している状態で視界を拡げたい場合には、比較的高い光透過率の第一領域２１を拡げるように境２３の位置を直接決める操作をすれば第一領域２１が拡がる。さらに、防眩用の範囲を拡げたい場合には、比較的低い光透過率の第二領域２２を拡げるように境２３の位置を直接決める操作をすれば第二領域２２が拡がる。従って、本シェード装置１は、便利である。
【００８３】
上記Ｓ２０８，２１４の防眩制御処理は、及び、「光透過率自動調整」の接触操作時に行われる光透過率手動制御処理は、調光部１０の透視エリアを対象として行われる。透視エリアは、調光領域Ａ１〜Ａ８の全てでもよいし、比較的高い光透過率の第一領域２１でもよい。
防眩制御処理が開始されると、ＥＣＵ５１は、日射センサー７１が眩光Ｌ１１を検出したか否かを判断し、眩光検出時に透視エリアの光透過率を０〜５％程度に下げてもよい。例えば、眩光Ｌ１１の閾値を設定しておけば、日射センサー７１の出力の値が閾値以上である場合にＥＣＵ５１は眩光Ｌ１１を検出したと判断して透視エリアの光透過率を０〜５％程度に下げることができる。また、日射センサー７１の出力の値が閾値未満である場合にＥＣＵ５１は眩光Ｌ１１を検出しなかったと判断して透視エリアの光透過率を維持することができる。
【００８４】
光透過率手動制御処理が開始されると、ＥＣＵ５１は、長尺状スイッチ６２が受け付けたスライド操作について、操作開始位置から操作終了位置までの距離（ΔＬとする。）を計算し、透視エリアの光透過率を距離ΔＬに応じて変えてもよい。
また、防眩制御処理や光透過率手動制御処理の対象は、境２３よりも上の第二領域２２でもよい。
【００８５】
以上説明したように、第二層状部１２０による光Ｌ５の鏡面反射を抑制して第二面２ｂから第一面２ａへの光を遮る第一状態（図１５Ｃ，１６Ａ参照）が選択されると、バイザー本体２により光を遮ることができる。また、第一面２ａに入射した光Ｌ５を第二層状部１２０により鏡面反射させる第二状態（図１５Ｂ，１６Ｂ参照）が選択されると、バイザー本体２の第一面２ａ側をミラーとして利用することができる。ミラーを覆うスライド蓋は不要であるので、スライド蓋をスライドさせるための構造は不要であり、バイザー本体２の意匠を向上させることができるうえ、バイザー本体２のほぼ全体をミラーにする等、ミラーサイズを大きくすることが可能である。このように、本具体例は、スライド蓋が無くてもミラーの使用状態と非使用状態とを実現させることができる。
さらに、層状部１１０，１２０を透視状態にすることができるので、バイザー本体２を通して反対側を見ることができる。従って、本具体例のシェード装置は、便利である。
【００８６】
（４）変形例：
本発明は、種々の変形例が考えられる。
例えば、シェード装置は、天井部に取り付けられるバイザー本体を有するサンバイザーに限定されず、フロントウィンドウやサイドウィンドウといったウィンドウ等に直接配置されてもよい。例えば、フロントウィンドウの上部に調光部を組み込み、フロントウィンドウ外に操作部や制御部を配置することが可能である。また、シェード装置は、車両用に限定されず、建物等に用いられてもよい。例えば、建物の天井部に取り付けられる本体を有するシェード装置、建物の窓に直接配置された本体並びに窓外の操作部及び制御部を有するシェード装置、等にも、本技術を適用可能である。
上述した接着層ＡＤ１，ＡＤ２，ＡＤ３の一部又は全部が無い場合も、本技術に含まれる。また、透明板３１０，３２０の一方又は両方が無い場合も、本技術に含まれる。
上述した透視モードでは本体の光透過率が変化したが、透視モードにおいて本体が常に透視性を有する状態となる場合も、本技術に含まれる。
【００８７】
図２０，２１に例示するように、第一面２ａにおいて前記第二層状部１２０に対応する制御領域２５を分割してもよい。図２０は、分割された制御領域Ａ１１〜Ａ１８を有するシェード装置１の電気回路を模式的に例示している。図２１は、ＥＣＵ５１に接続された第二層状部１２０を模式的に例示している。図２１に示す制御領域２５は、バイザー本体２が使用位置ＰＶ２にある時の幅方向Ｄ２へ並べられた制御領域Ａ１１〜Ａ１８を含んでいる。各制御領域Ａ１１〜Ａ１８は、個別に光透過率を調整可能である。便宜上、左（一方側）から右（他方側）の順に制御領域Ａ１１，Ａ１２，…，Ａ１８と名付ける。尚、第一分割領域と第二分割領域は、制御領域Ａ１１〜Ａ１８の中から任意に選ばれる。例えば、制御領域Ａ１２を第一分割領域に当てはめ、制御領域Ａ１３を第二分割領域に当てはまることが可能である。
むろん、制御領域２５を分割する数は、７以下でもよいし、９以上でもよい。また、上下方向Ｄ１１において制御領域２５が分割されてもよい。
【００８８】
図２０に示す操作部６０は、向きと長さが異なるだけで長尺状スイッチ６２に類似する長尺状スイッチ６３（長尺状操作部の例）を有している。長尺状スイッチ６２は、幅方向Ｄ２に沿って配置され、表面６３ａに接触する操作を受け付ける。
【００８９】
図２２は、分割された制御領域Ａ１１〜Ａ１８の一部をカンバセーションミラーとして使用する例を模式的に示している。カンバセーションミラーは、例えば、後席の様子を確認するために用いられる。図２３は、分割された制御領域Ａ１１〜Ａ１８の一部をバニティーミラーとして使用する例を模式的に示している。バニティーミラーは、例えば、シェード装置の使用者の顔を見るために用いられる。ここで、モード切り替えスイッチ６１において「カンバセーションミラーモード」と「バニティーミラーモード」の接触操作が可能であるとする。
【００９０】
モード切り替えスイッチ６１において「カンバセーションミラーモード」の接触操作を受け付けると、ＥＣＵ５１は、図２２に例示するように、ルームミラー１０５側の制御領域Ａ１１を含むミラー領域２６をミラーモード（第二状態）に制御する。例えば、図２２の状態ＳＴ３１に示すように、ミラー領域２６と非ミラー領域２７との境２８が制御領域Ａ１２，Ａ１３の間であったとする。長尺状スイッチ６３の表面６３ａに対して、境２８に対応する操作点Ｐ１１から右方（他方側の方）へ操作点Ｐ１２までユーザーが指Ｆ１を接触させてスライド操作したとする。この場合、ＥＣＵ５１は、接触操作の最後の位置である操作点Ｐ１２に対応する制御領域Ａ１４，Ａ１５の間を境２８の位置と決定し、この位置を境として、制御領域Ａ１１〜Ａ１４を第二状態に制御し、制御領域Ａ１５〜Ａ１８を第一状態又は第三状態に制御する（状態ＳＴ３２）。むろん、第二状態は、第一面２ａに入射した光Ｌ５を第二層状部１２０により鏡面反射させる状態であり、第二面２ｂに入射した光Ｌ４が遮られる状態が好ましい。このようにして、バイザー本体２にカンバセーションミラーが実現される。
【００９１】
モード切り替えスイッチ６１において「バニティーミラーモード」の接触操作を受け付けると、ＥＣＵ５１は、図２３に例示するように、フロントピラー１０３側の制御領域Ａ１８を含むミラー領域２６をミラーモード（第二状態）に制御する。例えば、図２３の状態ＳＴ３３に示すように、ミラー領域２６と非ミラー領域２７との境２８が制御領域Ａ１６，Ａ１７の間であったとする。長尺状スイッチ６３の表面６３ａに対して、境２８に対応する操作点Ｐ１３から左方（一方側の方）へ操作点Ｐ１４までユーザーが指Ｆ１を接触させてスライド操作したとする。この場合、ＥＣＵ５１は、接触操作の最後の位置である操作点Ｐ１４に対応する制御領域Ａ１４，Ａ１５の間を境２８の位置と決定し、この位置を境として、制御領域Ａ１５〜Ａ１８を第二状態に制御し、制御領域Ａ１１〜Ａ１４を遮光モード（第一状態）又は透視モード（第三状態）に制御する（状態ＳＴ３４）。むろん、第二状態は、第一面２ａに入射した光Ｌ５を第二層状部１２０により鏡面反射させる状態であり、第二面２ｂに入射した光Ｌ４が遮られる状態が好ましい。このようにして、バイザー本体２にバニティーミラーが実現される。
【００９２】
図２０〜２３に示すシェード装置１は、各制御領域Ａ１１〜Ａ１８において調光部１０の状態を制御することにより少なくとも第一状態と第二状態とを選択的に実現させる。これにより、各制御領域Ａ１１〜Ａ１８の状態が別々に切り替わる。従って、図２０〜２３に示すシェード装置１は、便利である。
【００９３】
また、図２４に例示するように、夜間と判断される場合は遮光モード（第一状態）以外のモードに切り替えてもよい。夜間は眩光を防ぐ必要性が少ないためである。夜間の光の強さの閾値を設定しておけば、日射センサー７１からの出力に基づいて車外の明るさが夜間の明るさであるか否かを判断することができる。ここで、閾値よりも強い光の強さは第一の強さの例であり、閾値よりも弱い光の強さは第二の強さの例である。
【００９４】
図２４に示す追加制御処理は、図１２に示す切り替え制御処理と並列して繰り返し行われる。この処理が開始されると、ＥＣＵ５１は、日射センサー７１からの出力に基づいて車外の明るさが夜間の明るさであるか否かを判断する（Ｓ３０２）。車外の光の強さが第一の強さである場合、すなわち、車外の明るさが夜間の明るさでない場合、ＥＣＵ５１は、バイザー本体２に、少なくとも遮光モード（第一状態）と反射モード（第二状態）とを選択的に実現させ、追加制御処理を終了させる。車外の光の強さが第二の強さである場合、すなわち、車外の明るさが夜間の明るさである場合、ＥＣＵ５１は、切り替え制御処理の設定が遮光モードであるか否かを判断する（Ｓ３０４）。切り替え制御処理の設定が遮光モードでない場合、ＥＣＵ５１は、追加制御処理を終了させる。切り替え制御処理の設定が遮光モードである場合、ＥＣＵ５１は、切り替え制御処理の設定をミラーモード（第二状態）に切り替え（Ｓ３０６）、追加制御処理を終了させる。従って、車外の光の強さが第二の強さである場合、バイザー本体２に遮光モード（第一状態）は実現されない。
【００９５】
以上より、眩光を防ぐ必要性が少ない夜間に遮光モード（第一状態）とならずミラーモード（第二状態）となるので、本シェード装置は便利である。
尚、Ｓ３０６の処理において、切り替え制御処理の設定を透視モードにしてもよい。
【００９６】
さらに、図２５に例示するように、第二透明板３２０の代わりに光吸収板３３０を第一層状部１１０（調光部１０の一部）としてバイザー本体２に配置してもよい。図２５は、助手席側のシェード装置１Ｂにおけるバイザー本体２の断面の別の例を模式的に示している。このシェード装置１Ｂの光吸収板３３０は、第二層状部１２０よりも第二面２ｂ側に配置され、第一面２ａに入射した光Ｌ５、及び、第二面２ｂに入射した光Ｌ４を吸収する材料であり、光の反射を抑制して光を遮る材料である。ここで、光吸収板３３０の概念は、第一層状部１１０の概念に含まれる。光吸収板３３０には、カーボンブラックといった着色材で着色した樹脂材料等が含まれる。前記着色材は、黒色の着色材が好ましいものの、光の反射を抑制して光を遮る限り白色等の着色材でもよい。前記樹脂材料は、ポリカーボネート（ＰＣ）樹脂といった第一透明板３１０と同じ樹脂材料が好ましいものの、透明性を有する樹脂に限定されず、不透明な樹脂でもよい。
【００９７】
第二層状部１２０は、第一層状部１１０よりも第一面２ａ側に配置され、第二面２ｂから第一面２ａに向かう順に、反射型偏光層１２２、第二液晶層１２１、及び、吸収型偏光層１２３を含んでいる。図２５に示すバイザー本体２において、第一透明板３１０と吸収型偏光層１１３との間に接着層ＡＤ１があり、第一層状部１１０としての光吸収板３３０と反射型偏光層１２２との間に接着層ＡＤ３がある。第二層状部１２０は、第一面２ａに配置された第一透明板３１０と第二面２ｂに配置された光吸収板３３０とに挟まれて保持される。図示していないが、支持部材４０は、第二層状部１２０が挟まれた第一透明板３１０及び光吸収板３３０を支持する。
むろん、運転席側のシェード装置１Ａのバイザー本体２を図２５に示すような構造にしてもよい。この場合も、本技術に含まれる。
【００９８】
次に、図２５，２６を参照して、各モードにおける調光部１０の制御を説明する。図２６は、シェード装置１Ｂにおける層状部１１０，１２０の状態を模式的に例示している。
シェード装置１Ｂが「遮光モード」に設定された場合、ＥＣＵ５１は、図２６に示すように第二層状部１２０を第二透視状態に制御することによりバイザー本体２に「黒」の状態（第二層状部１２０による光Ｌ５の鏡面反射を抑制して第二面２ｂから第一面２ａへの光Ｌ４を遮る第一状態）を実現させる。第二液晶層１２１がＴＮ方式である場合、ＥＣＵ５１は、第二液晶層１２１をオフに制御すればよい。
シェード装置１Ｂが「ミラーモード」に設定された場合、ＥＣＵ５１は、図２６に示すように第二層状部１２０を反射状態に制御することによりバイザー本体２に「ミラー」の状態（第一面２ａに入射した光Ｌ５を鏡面反射させる第二状態）を実現させる。第二液晶層１２１がＴＮ方式である場合、ＥＣＵ５１は、第二液晶層１２１をオンに制御すればよい。尚、運転席側のシェード装置１Ａが図６Ａで示したような液晶層１１１，１２１を含む層状部１１０，１２０を有する場合、図２５に示す助手席側のシェード装置１Ｂにおける反射像の見え方（例えば若干の色味）が運転席側のシェード装置１Ａにおける反射像の見え方とほぼ同じになる。
【００９９】
図２５，２６に示す例でも、第二層状部１２０による光Ｌ５の鏡面反射を抑制して第二面２ｂから第一面２ａへの光を遮る第一状態が選択されると、バイザー本体２により光を遮ることができる。また、第一面２ａに入射した光Ｌ５を第二層状部１２０により鏡面反射させる第二状態が選択されると、バイザー本体２の第一面２ａ側をミラーとして利用することができる。従って、スライド蓋が無くてもミラーの使用状態と非使用状態とが実現される。
また、図６Ａに示す運転席側のシェード装置１Ａと図２５に示す助手席側のシェード装置１Ｂとで反射像の見え方とがほぼ同じになるので、車室ＣＡ１にシェード装置１を使用する場合の車室ＣＡ１の見た目が向上する。
さらに、遮光状態を有する第一層状部のために液晶フィルムや液晶パネルをバイザー本体に配置する必要が無いので、図２５，２６に示す例は、シェード装置を軽量化することができ、シェード装置をコストダウンすることができる。
【０１００】
（５）結び：
以上説明したように、本発明によると、種々の態様により、スライド蓋が無くてもミラーの使用状態と非使用状態とを実現可能なシェード装置等の技術を提供することができる。むろん、独立請求項に係る構成要件のみからなる技術でも、上述した基本的な作用、効果が得られる。
また、上述した例の中で開示した各構成を相互に置換したり組み合わせを変更したりした構成、公知技術及び上述した例の中で開示した各構成を相互に置換したり組み合わせを変更したりした構成、等も実施可能である。本発明は、これらの構成等も含まれる。
【図１】
2019082572.tif 000003
【図２】
2019082572.tif 000004
【図３】
2019082572.tif 000005
【図４】
2019082572.tif 000006
【図５】
2019082572.tif 000007
【図６】
2019082572.tif 000008
【図７】
2019082572.tif 000009
【図８】
2019082572.tif 000010
【図９】
2019082572.tif 000011
【図１０】
2019082572.tif 000012
【図１１】
2019082572.tif 000013
【図１２】
2019082572.tif 000014
【図１３】
2019082572.tif 000015
【図１４】
2019082572.tif 000016
【図１５】
2019082572.tif 000017
【図１６】
2019082572.tif 000018
【図１７】
2019082572.tif 000019
【図１８】
2019082572.tif 000020
【図１９】
2019082572.tif 000021
【図２０】
2019082572.tif 000022
【図２１】
2019082572.tif 000023
【図２２】
2019082572.tif 000024
【図２３】
2019082572.tif 000025
【図２４】
2019082572.tif 000026
【図２５】
2019082572.tif 000027
【図２６】
2019082572.tif 000028
【国際調査報告】
2019082572.tif 000029
2019082572.tif 000030
2019082572.tif 000031
2019082572.tif 000032